(57)【特許請求の範囲】
【請求項１】
袖筒を備え上半身部に着用する上衣と、脚筒を備え下半身部に着用する下衣とが一体に形成されたつなぎ型作業衣において、上衣の袖筒の長さ方向の全長であって当該袖筒の腋に沿った内側面とこの面と反対の外側面の両面にゴム紐等の伸縮性部材を伸張状態で連続的に縫着する一方、下衣の脚筒の長さ方向の全長であって当該脚筒の股に沿った内側面とこの面と反対の外側面の両面にゴム紐等の伸縮性部材を伸張した状態で連続的に縫着したことを特徴とする伸縮性つなぎ型作業衣。
【請求項２】
脚筒の下端外部には足掛け部材を設けた請求項１の伸縮性つなぎ服型作業衣。
【請求項３】
上衣と下衣の胴部に、ゴム紐等の伸縮性部材を伸張した状態で連続的又は断続的に縫着した請求項１の伸縮性つなぎ服型作業衣。
【発明の詳細な説明】
【０００１】
【発明の属する技術分野】
本発明は、例えば原子力施設内のような放射線管理区域内などで作業する作業員や、農薬の散布作業に従事する作業員が作業時に着用するつなぎ服型作業衣に関するものである。
【０００２】
【従来の技術】
従来から原子力施設内や放射線管理区域内などで作業する作業員や、農薬を散布する作業に従事する作業員などが着用するつなぎ型作業衣としては、種々の形式、構造のものが提案され実用にも供されており、特にそのサイズは、作業性が損なわれないように作業員の体格に合わせて、Ｓ，Ｍ，Ｌ，ＬＬ，３Ｌ，４Ｌ，ＸＬなど、多様なサイズで作製，提供されている。
【０００３】
しかしながら、放射線管理区域内などで作業する作業者が着用するつなぎ服型作業衣は、高価な放射線防護用布地を用いて作製し、一度着用したらそのまま焼却等により処分して使い捨てにしたり、洗濯して数回着用したあと所定の処分をすることが多いため、上記のように多様なサイズのものを作製すると、一着ごとのコストが高くつき、不経済である。
【０００４】
【発明が解決しようとする課題】
本発明は上述のような従来技術に鑑み、原子力施設内や放射線管理区域内などを始めとし、様々な作業環境で作業する作業員や、その他の作業に従事する作業員が作業時に着用するつなぎ服型作業衣において、その袖部及び脚部を伸縮可能に形成して、一サイズの作業衣で、例えば、Ｓ，Ｍ，Ｌの大きさに使用できる低コストで製作可能なつなぎ服型作業衣を提供することを、その課題とするものである。
【０００５】
【課題を解決するための手段】
上記課題を解決することを目的としてなされた本発明つなぎ服型作業衣の構成は、袖筒を備え上半身部に着用する上衣と、脚筒を備え下半身部に着用する下衣とが一体に形成されたつなぎ型作業衣において、上衣の袖筒の長さ方向の全長であって当該袖筒の腋に沿った内側面とこの面と反対の外側面の両面にゴム紐等の伸縮性部材を伸張状態で連続的に縫着する一方、下衣の脚筒の長さ方向の全長であって当該脚筒の股に沿った内側面とこの面と反対の外側面の両面にゴム紐等の伸縮性部材を伸張した状態で連続的に縫着したことを特徴とするものである。
【０００６】
即ち、本発明伸縮性つなぎ服型作業衣は、上衣の袖筒の裄と下衣の脚筒の長さとに伸縮性を持たせることにより、一サイズの作業衣で従来の三種類程度のサイズの作業衣として着用できるようにしたもので、必要に応じて胴部にも同様の伸縮性を持たせておけば、着用性を良好にすることが可能である。なお、袖筒への伸縮性部材の縫着に際しては、袖筒の裏側（内側）の縫い目に沿って連続的又は断続的に縫着する。袖筒の上縁内部（外側）に縫い目がない場合には、該袖筒内部の上方から適宜長さに亘って縫着するようにすればよい。また、脚筒への伸縮部材の縫着に際しては、伸縮性部材を左右の脚筒の内側又は内外側の縫い目に沿って連続的又は断続的に縫着するようにすれば、その作業をしやすい。前記縫着は、袖筒，脚筒に対し部分的に縫着する場合もある。
【０００７】
【発明の実施の形態例】
次に、本発明の実施の形態例を図により説明する。図１は本発明作業衣の正面図、図２は着用した状態の正面図、図３は袖筒に伸縮部材を取付けた状態を示すため図１のＡ部を拡大した断面図、図４は脚筒に伸縮部材を取付けた状態を示すため図１のＢ部を拡大した断面図である。
【０００８】
図１，図２において、１は、前身頃11，後身頃12及び袖口13aをゴム紐などを入れて狭窄した袖筒13を備え、前身頃11をファスナｆにより開閉可能とした上衣、２はズボンの胴部21となる部位に２本の脚筒22を並設し、各脚筒22の下端部22aをゴム紐などを入れて狭窄し、この部22aに足掛け部材23を取付けた下衣であって、前記上衣１の下部と下衣２の胴部21が連接部３において一体に連結されたように形成されることにより、つなぎ服型作業衣の一例を構成する。なお、図１，図２において４はフードであるが、フード４の具備は任意である。本発明では、袖筒13及び脚筒22に伸縮性を付与するため、次の構成が付加されている。
【０００９】
一例として、袖筒13及び脚筒22に伸縮性部材を取付けた状態を、図３及び図４に示す。袖筒13には、図３に示すように、その袖筒13の内側面（着用者の腋に沿った面）に位置した縫い目13bに沿ってその縫製時にゴム紐等の伸縮性部材A1を伸張状態で縫着する一方、縫い目のない袖筒13の外側ではその筒13の内部に肩口から袖口まで、伸縮性部材A2を、伸張状態で別途に縫着してある。また、左右の脚筒22には、図４に示すように、各筒22の内外両側面（着用者の股に沿った面が内側面、その反対側が外側面）にある縫い目22a，22bに沿って伸縮性部材A3，A4を伸張状態で縫着してある。上記のように袖筒13と脚筒22にそれぞれ伸縮性部材A1〜A4を縫い目に沿って縫着すると、袖筒13と脚筒22とは、図１，図３，図４に示すように各筒体13と22が長さ方向で均等に縮小した状態になるので、つなぎ服型作業衣における上衣１の袖筒13と下衣２におけるズボンの脚筒22の長さに伸縮性を付与することができる。
【００１０】
上記では、伸縮性部材A1〜A4を袖筒13及び脚筒22の略全長に亘り連続的に伸長状態で縫着したが、本発明の縫着態様はこれに限られず、これら各筒13，22の長さ方向において断続的に、或は、部分的に縫着してもよい。
【００１１】
上記の本発明の構成を、例えば、Ｌサイズのつなぎ服型作業衣に適用すれば、常態では袖筒13及び脚筒22が、伸縮性部材A1〜A4が縮小することにより短か目、具体的にはＳサイズ相当乃至はそれ以下程度のサイズに形成されているので、例えば、通常は個別に作製されたＳサイズやＭサイズの作業衣を着用していた者が着用しても、狭穿した袖口13aがあるので袖筒13が伸び、また、脚筒22は足掛け部材23に脚をかけることにより当該脚筒22が着用者の足の長さに合って伸張するため違和感なく着用でき、特に、図２に例示するように従来、Ｌサイズの作業衣を着用していた者が着用すると、伸縮性部材A1〜A4がほぼ伸張し切ってしまい、袖筒13及び脚筒22が両筒の元の長さに戻るので、上記と同様、違和感なく着用することができる。なお、胴部３に伸縮性部材A5を上記と同様に伸張状態で縫着しておけば、作業衣の胴部３も伸縮可能になるので、着心地は向上する。この意味で袖筒13や脚筒22に伸縮性A1〜A4を螺旋状に縫着すると、前記各筒13，22の長さとともにそれらの太さを伸縮可能に形成することができる。
【００１２】
前述したように、従来は、放射線管理区域内などで作業する作業者が着用するつなぎ服型作業衣は、着用者の様々な大きさの体格に対応できるようにするため多種のサイズのものを、高価な放射線防護用布地などを用いて作製し予め用意しておく必要があったが、そのような作業衣であっても、一度着用したらそのまま焼却等により処分して使い捨てにしたり、洗濯して数回着用したあと所定の処分をする利用形態であるので、作業衣一着ごとのコストが結果的には高くつくという難点があった。然るに、本発明作業衣は袖及び脚に伸縮性を持たせ、一サイズの作業衣を少なくとも三サイズの作業衣として使用できるため、経済性は著しく向上する。
【００１３】
本発明伸縮性つなぎ型作業衣は、特に、日々、大量に着用されて消費される放射線管理地域で使用される防護用作業衣として極めて有用であり、また、農薬散布等における防除用の作業衣としても、従来品より容易かつ安価に作製，提供できるので、つなぎ型の汎用作業衣としても有用である。
【００１４】
【発明の効果】
本発明は上述のとおりであって、つなぎ型作業衣において、袖筒及び脚筒にそれらの縫着線に沿ってゴム紐などを縫着して伸縮性を持たせたから、作業衣の縫着の際に伸縮性部材の縫着を行うことができるので合理的に製造することができる。また、大判サイズの作業衣を、それより小サイズの二種以上のサイズの作業衣として着用できるので、特に、布地に高価な放射線防護用布地を用いて作製され、日々大量に使用されて消費される放射線管理地域内で着用する防護用作業衣を低コストで供給できることとなり、この種のつなぎ型作業衣としてきわめて好適である。
【図面の簡単な説明】
【図１】    本発明作業衣の正面図。
【図２】  着用した状態の正面図。
【図３】  袖筒に伸縮部材を取付けた状態を示すため図１のＡ部を拡大した断面図。
【図４】  脚筒に伸縮部材を取付けた状態を示すため図１のＢ部を拡大した断面図。
【符号の説明】
１    上衣
11    前身頃
12    後身頃
13    袖筒
13a   袖口
13b   袖筒の縫い目
２    下衣
21    胴部
22    脚筒
22a，22b  脚筒の縫い目
23    足掛け部材
３    連接部
４    フード
A1〜A5    伸縮性部材
【図１】
0004540271.tif 000002
【図２】
0004540271.tif 000003
【図３】
0004540271.tif 000004
【図４】
0004540271.tif 000005